(57)【要約】【課題】建物の構造やデザインに伴って存在する外壁面の比較的大きな凹凸形状から微小な不陸等に応じて、外壁面と竪樋との設置間隔を容易かつ連続的に調整可能な竪樋用控え具を提供する。【解決手段】壁面固定部２と、竪樋８を支持する竪樋支持部３と、壁面固定部と竪樋支持部を連結する連結部４を備えた竪樋用控え具１であって、連結部は、対向する一対の第１及び第２の屈曲アーム部４０ａ、４０ｂと、その間に配置されて相互の対向間隔を調整可能とする間隔調整部５とを備え、間隔調整部では、雄ねじ部材５１を回転自在に支持するアーム連結部材５０ａと雌ねじ部材５３を有するアーム連結部材５０ｂが対向配置されて、雄ねじ部材の回転による雌ねじ部材との螺合状態の調整によって、第１の屈曲アーム部と第２の屈曲アーム部との対向間隔が調整可能とされ、壁面固定部と竪樋支持部の間隔を調整可能とする。【選択図】図１
2017172157.tif 000002
【特許請求の範囲】
【請求項１】
建物の外壁面に固定される壁面固定部と、竪樋を支持する竪樋支持部と、前記壁面固定部と前記竪樋支持部を連結する連結部を備えた竪樋用控え具であって、
前記連結部は、対向する一対の第１及び第２の屈曲アーム部と、その第１及び第２の屈曲アーム部の間に配置されて相互の対向間隔を調整可能とする間隔調整部とを備え、
前記第１及び第２の屈曲アーム部の各々は、二つのアーム部材を有し、
第１の屈曲アーム部では、二つのアーム部材各々の一端がヒンジにより回動自在に前記壁面固定部に接続されて、二つのアーム部材は互いの開き角度が調整自在とされており、
第２の屈曲アーム部では、二つのアーム部材各々の一端がヒンジにより回動自在に前記竪樋支持部に接続されて、二つのアーム部材は互いの開き角度が調整自在とされており、
前記間隔調整部では、雄ねじ部材を回転自在に支持するアーム連結部材と雌ねじ部材を有するアーム連結部材が対向配置されて、前記雄ねじ部材と前記雌ねじ部材との螺合によって対向する前記アーム連結部材の互いの距離が調整自在とされており、
前記雄ねじ部材を支持するアーム連結部材並びに前記雌ねじ部材を有するアーム連結部材には、前記屈曲アーム部の二つのアーム部材の端部が別々にヒンジによって接続され、
前記雄ねじ部材の回転による前記雌ねじ部材との螺合状態の調整によって、前記第１の屈曲アーム部と前記第２の屈曲アーム部との対向間隔が調整可能とされ、前記壁面固定部と前記竪樋支持部の間隔を調整可能とすることを特徴とする竪樋用控え具。
【請求項２】
前記雌ねじ部材は、調整用つまみと雄ねじ部を有し、前記雌ねじ部材は、雌ねじ部を有し、前記調整用つまみを回転して前記雄ねじ部と前記雌ねじ部との螺合状態を調整することを特徴とする請求項１に記載の竪樋控え具。
【請求項３】
前記雄ねじ部材が設けられた前記アーム連結部に、前記調整用つまみの回転を抑止するための固定用部材が着脱可能に設けられていることを特徴とする請求項１又は２に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。この竪樋用控え具としては、通常、外壁面に固定する壁面固定部と、その前方に設けられた竪樋を支持する竪樋支持部が一体に形成された構造のものが用いられている。
【０００３】
一方、建物の外壁面には、建物の構造及びデザイン等に伴う凹凸や、表面に微小な不陸がある場合が多く、竪樋の取付施工においては、建物の外壁面と竪樋の間隔調整が必要な場合がある。しかしながら、上記従来の構造の竪樋用控え具は、前記のように竪樋を支持する竪樋支持部と建物の外壁面に固定する壁面固定部が一体の構造となっているため、竪樋と外壁面との間隔調整ができないという問題があった。
【０００４】
この問題に対して、これまでに竪樋と外壁面との間隔調整が可能な竪樋用控え具が提案されている。具体的には、例えば、竪樋支持部と壁面固定部の両方に雄ねじ部を形成し、この雄ねじ部と螺合する雌ねじ部を形成した調整部材で接続した竪樋用控え具がある（特許文献１を参照）。
【０００５】
この特許文献１の竪樋用控え具によれば、竪樋支持部と壁面固定部に形成した雄ねじ部と、調整部材の雌ねじ部を所望の間隔となるように螺合して調整することにより、竪樋と外壁面との間隔調整が可能になるとしている。
【０００６】
また、他の提案として、竪樋の竪樋支持部と、これに連結される挿通孔を設けたスライド片と、外壁面に固定される長穴を設けた壁面固定部を備え、スライド片の挿通孔と壁面固定部の長穴を結合具を用いて結合する構造の竪樋用控え具がある（特許文献２を参照）。
【０００７】
この特許文献２の竪樋用控え具によれば、壁面固定部に対してスライド片を所望の間隔となる位置で係止部により仮留めし、スライド片の挿通孔と壁面固定部の長穴を結合具で結合することにより、竪樋と外壁面との間隔調整が可能になるとしている。
【先行技術文献】
【特許文献】
【０００８】
【特許文献１】特開平１０−７２９１８号公報
【特許文献２】特開２０１３−７２２４９号公報
【発明の概要】
【発明が解決しようとする課題】
【０００９】
一方、通常の竪樋の取付施工では、複数の竪樋用控え具を外壁面に沿って縦方向に順次取付け、其々の竪樋用控え具によって竪樋を保持固定している。この場合、通常、建物の外壁面に存在する構造又はデザインに伴う凹凸は大きく、外壁面の表面の不陸に伴う凹凸は小さい凹凸となっている。そのため、竪樋の控え具における外壁面と竪樋との間隔の調整では、大きく調整させたい設置場所と微小に調整させたい設置場所とが存在する。
【００１０】
これに対して、特許文献１に記載の竪樋用控え具では、竪樋支持部と壁面固定部に形成した雄ねじ部と調整部材の雌ねじ部との螺合具合だけで間隔を調整するため、取付部と壁面固定部の間隔の微調整は可能ではあるが、大きな調整はできない場合があった。
【００１１】
また、特許文献２に記載の竪樋の控え具では、目的の間隔としてから係止部により仮留めした後に係合具で固定するため、施工が煩雑であった。また、壁面固定部に設けられた長穴の寸法の範囲でのみの調整であるため、大きな調整ができない場合があった。
【００１２】
本発明は、上記従来の問題点に鑑みてなされたものであり、建物の構造やデザインに伴って存在する外壁面の比較的大きな凹凸形状から微小な不陸等に応じて、外壁面と竪樋との設置間隔を容易かつ連続的に調整可能な竪樋用控え具を提供することを課題とする。
【課題を解決するための手段】
【００１３】
本発明は、上記の課題を解決するために、以下のことを特徴としている。
【００１４】
すなわち、本発明の竪樋用控え具は、建物の外壁面に固定される壁面固定部と、竪樋を支持する竪樋支持部と、前記壁面固定部と前記竪樋支持部を連結する連結部を備えた竪樋用控え具であって、前記連結部は、対向する一対の第１及び第２の屈曲アーム部と、その第１及び第２の屈曲アーム部の間に配置されて相互の対向間隔を調整可能とする間隔調整部とを備え、前記第１及び第２の屈曲アーム部の各々は、二つのアーム部材を有し、第１の屈曲アーム部では、二つのアーム部材各々の一端がヒンジにより回動自在に前記壁面固定部に接続されて、二つのアーム部材は互いの開き角度が調整自在とされており、第２の屈曲アーム部では、二つのアーム部材各々の一端がヒンジにより回動自在に前記竪樋支持部に接続されて、二つのアーム部材は互いの開き角度が調整自在とされており、前記間隔調整部では、雄ねじ部材を回転自在に支持するアーム連結部材と雌ねじ部材を有するアーム連結部材が対向配置されて、前記雄ねじ部材と前記雌ねじ部材との螺合によって対向する前記アーム連結部材の互いの距離が調整自在とされており、前記雄ねじ部材を支持するアーム連結部材並びに前記雌ねじ部材を有するアーム連結部材には、前記屈曲アーム部の二つのアーム部材の端部が別々にヒンジによって接続され、前記雄ねじ部材の回転による前記雌ねじ部材との螺合状態の調整によって、前記第１の屈曲アーム部と前記第２の屈曲アーム部との対向間隔が調整可能とされ、前記壁面固定部と前記竪樋支持部の間隔を調整可能とすることを特徴とする。
【発明の効果】
【００１５】
本発明によれば、建物の構造やデザインに伴って存在する外壁面の比較的大きな凹凸形状から微小な不陸等に応じて、外壁面と竪樋との設置間隔を容易かつ連続的に調整可能な竪樋用控え具を提供することが可能となる。
【図面の簡単な説明】
【００１６】
【図１】本発明の竪樋用控え具の一実施形態の概略斜視図である。
【図２】本発明の竪樋用控え具の取付け状態を示す概略側面図であり、（Ａ）は連結部を長く伸ばした状態であり、（Ｂ）は連結部を短く縮めた状態である。
【図３】固定用部材の概略断面図である。
【発明を実施するための形態】
【００１７】
本発明の竪樋用控え具について、図面に基づいて以下に詳述する。図１は、本発明の竪樋用控え具の一実施形態を示した概略斜視図であり、図２は、本発明の竪樋用控え具の取付け状態を示す概略側面図であり、（Ａ）は連結部を長く伸ばした状態を示し、（Ｂ）は連結部を短く縮めた状態を示している。
【００１８】
図１、図２（Ａ）、（Ｂ）に示すように、竪樋用控え具１は、建物の外壁面７に固定される壁面固定部２と、竪樋８を支持する竪樋支持部３と、壁面固定部２と竪樋支持部３を連結する連結部４を備えている。
【００１９】
連結部４は、外壁面７に対しての前後位置に一対の第１の屈曲アーム部４０ａ及び第２の屈曲アーム部４０ｂと、その一対の屈曲アーム部４０ａ、４０ｂの中間部に配置された間隔調整部５とを備えている。
【００２０】
即ち、連結部４は、前後一対の第１の屈曲アーム部４０ａ、第２の屈曲アーム部４０ｂと間隔調整部５により、パンタグラフ形状に形成されている。
【００２１】
第１及び第２の屈曲アーム部４０ａ、４０ｂは各々二つのアーム部材４１ａ、４１ｂを有している。第１の屈曲アーム部４０ａの二つのアーム部材４１ａは互いの開き角度が調整自在とされており、二つのアーム部材４１ａの一端はヒンジ４２ａにより壁面固定部２に接続されている。また、第２の屈曲アーム部４０ｂの二つのアーム部材４１ｂは互いの開き角度が調整自在とされており、二つのアーム部材４１ｂの一端はヒンジ４２ｂにより竪樋支持部３に接続されている。
【００２２】
間隔調整部５は、上下の位置に一対のアーム連結部材５０ａ、５０ｂを有している。そして、一方のアーム連結部材５０ａには、壁面固定部２に接続された第１の屈曲アーム部４０ａ及び竪樋支持部３に接続された第２の屈曲アーム部４０ｂの各々の一端がヒンジ４３ａ、４３ｂにより接続されている。また、他方のアーム連結部材５０ｂには、壁面固定部２に接続されたアーム部材４１ａ及び竪樋支持部３に接続されたアーム部材４１ｂの各々の他端がヒンジ４４ａ、４４ｂにより接続されている。
【００２３】
また、前記の間隔調整部５は、雄ねじ部材５１と、雌ねじ部材５４を具備している。
【００２４】
雄ねじ部材５１は、調整用つまみ５２と雄ねじ部５３を有し、アーム連結部材５０ａに回転自在に支持されている。また、雌ねじ部材５４は、雄ねじ部５３が螺合する雌ねじ部５５を有し、前記のアーム連結部材５０ｂに固定されている。そして、雄ねじ部材５１と雌ねじ部材５４は、雄ねじ部５３と雌ねじ部５５が螺合して接続されるようにしている。
【００２５】
そして、調整用つまみ５２を回転して雄ねじ部５３と雌ねじ部５５との螺合状態を調整し、アーム連結部材５０ａ、５０ｂの間隔を変更することにより、壁面固定部２と竪樋支持部３の間隔を無段階で調整可能としている。
【００２６】
例えば、調整用つまみ５２を回転して雄ねじ部５３と雌ねじ部５５との螺合を進めると、図２（Ａ）に示すように、一対のアーム連結部材５０ａ、５０ｂは接近して間隔が狭くなる。そして、これに伴って、連結部４は水平方向に長く伸び、壁面固定部２と竪樋支持部３の間隔を大きくすることができる。
【００２７】
また、これとは逆に、調整用つまみ５２を回転して雄ねじ部５３と雌ねじ部５５との螺合を戻すと、図２（Ｂ）に示すように、一対のアーム連結部材５０ａ、５０ｂは離反して間隔が広くなる。そして、これに伴って、連結部４は水平方向に短く縮み、壁面固定部２と竪樋支持部３の間隔を小さくすることができる。
【００２８】
壁面固定部２は、連結部４及び竪樋支持部３を保持した状態で建物の外壁面７に固定される。壁面固定部２には、例えば、ねじ２２等により外壁面７に固定するためのねじ留め孔２１が設けられている。また、壁面固定部２の外壁面７側とは反対側の前方部には、連結部４のアーム部材４１ａを回動自在に連結するための前記のヒンジ４２ａが設けられている。
【００２９】
竪樋支持部３は、連結部４に接続するとともに、竪樋８を固定して支持するための部材である。本実施形態の竪樋用控え具１においては、竪樋支持部３には、連結部４のアーム部材４１ｂを回動自在に連結するための前記のヒンジ４２ｂが設けられており、反対側の前方部には竪樋８を支持固定するための支持固定部３１が設けられている。
【００３０】
支持固定部３１は、竪樋８を強固に固定できる構造であれば特に限定されるものではなく、竪樋８の形状や太さ等に合わせて種々の構造のものを適用することができる。具体的には、例えば、図１に示すような、竪樋８の背面部に設けられた突条の支持部８１に嵌着接続可能な形状の支持固定部３１としたり、半円形状の金属板をヒンジにより開閉可能とし、留め具等で把持できる把持部材等を用いることができる。また、種々の竪樋８の形状に対応する取付又は把持構造をアタッチメントとして用いて接続できるようにすることもできる。
【００３１】
以上の構成を有する本発明の竪樋用控え具１によれば、調整用つまみ５２を回転することにより、外壁面７と竪樋８との設置間隔に応じた伸びた状態と縮んだ状態を容易かつ連続的に調整することが可能となる。
【００３２】
また、本発明の竪樋用控え具１においては、雄ねじ部材５１が設けられたアーム連結部材５０ａに、調整用つまみ５２の回転を抑止するための固定用部材６を着脱可能に設けることが好ましく考慮される。
【００３３】
具体的には、例えば、図１に示すように、雄ねじ部材５１が設けられたアーム連結部材５０ａの調整用つまみ５２の上部の位置に二つの開口部４５を設ける。そして、図２（Ａ）、（Ｂ）のように、固定用部材６を開口部４５に水平方向から押し込み、固定用部材６の下部と調整用つまみ５２の上部を当接させることにより、調整用つまみ５２の回転を抑止することができる。
【００３４】
固定用部材６により調整用つまみ５２の回転を抑止することにより、竪樋８の設置後に調整用つまみ５２が振動や衝撃等により回転して竪樋８と外壁面７の間隔が変動することを防止することができる。
【００３５】
図３は、このような固定用部材６の概略断面図を例示している。固定用部材６には、開口部４５に固定用部材６を挿通して押し込んだ後、容易に外れないように、開口部４５に係合する突起部６１が上下に形成されている。また、固定用部材６の内側には、突起部６１の位置を変位させるための抜き部６２が形成され、弾性変形する係合解除片６３が設けられている。
【００３６】
さらに、固定用部材６の一端部には、開口部４５への押し込みを容易にするための押し込み部６４が形成され、係合解除片６３の端部には、係合解除片６３を低く変位させるための押え部６５が設けられている。
【００３７】
このように、固定用部材６の内側に係合解除片６３が弾性変形するように抜き部６２を設けることにより、押え部６５を押し下げることにより突起部６１の位置を容易に低く変位でき、固定部材を開口部４５に係合させやすくすることができる。
【００３８】
また、固定用部材６と開口部４５が係合した状態から、係合解除片６３を下方に押して突起部６１の位置を低くすることにより、固定用部材６と開口部４５の係合を解除することができる。これにより、一度係合させた固定用部材６を容易に外すことが可能となり、外壁面７と設置後の竪樋８の間隔の微調整を行うことが可能となる。
【００３９】
以上の実施形態の竪樋用控え具１によって、建物の外壁面７に沿って竪樋８を以下の手順により固定することができる。
【００４０】
竪樋８を設置しようとする建物の外壁面７に、その長さ方向の所定部分毎に、複数の竪樋用控え具１を直列に設置することができる。竪樋用控え具１の設置では、まず、外壁面７に対して壁面固定部２をねじ２２等により固定して竪樋用控え具１を設置する。
【００４１】
次に、竪樋８が地面に対して垂直になるように外壁面７と竪樋８の間隔を考慮して、調整用つまみ５２を大きく回転させて、連結部４を短く縮めた状態（例えば図２（Ａ））又は、長く伸ばした状態（例えば図２（Ｂ））に設定するかを決定する。
【００４２】
次に、連結部４に連結された竪樋支持部３の支持固定部３１により竪樋８と竪樋支持部３を固定する。なお、竪樋８と竪樋支持部３を固定した段階で、竪樋用控え具１の設置場所の外壁面７に施工誤差等による不陸があり、竪樋８が地面に対して垂直にならず歪みが生じている場合には、調整用つまみ５２を小さく回転させて外壁面７と竪樋８の間隔の微調整を行う。
【００４３】
そして、外壁面７と竪樋８の間隔が決定した状態で、雄ねじ部材５１が設けられたアーム連結部材５０ａの上部に設けられた開口部４５に固定用部材６を押し込み、係合させて調整用つまみ５２を固定する。これにより、外壁面７に対して竪樋８を設置することができる。
【００４４】
このように本実施形態の竪樋用控え具１を用いることにより、建物の構造やデザインに伴って存在する外壁面７の比較的大きな凹凸形状から微小な不陸等に応じて、外壁面７と竪樋８との設置間隔を容易かつ連続的に調整して竪樋８を設置することができる。
【００４５】
なお、以上の竪樋用控え具１については、その材質は、屋外での経年の使用においても変形や破損が生じにくいものであれば特に制限されることはない。例えば、金属や硬質の樹脂、それらの複合体等によって形成されたものとすることができる。
【００４６】
以上、本発明の竪樋用控え具１を一実施形態に基づいて説明したが、本発明は上記の実施形態に限定されるものではなく、その要旨を逸脱しない範囲内において種々の変形、変更が可能である。
【００４７】
例えば、上記実施形態では、間隔調整部５に関して、上側のアーム連結部材５０ａに雄ねじ部材５１を設け、下側のアーム連結部材５０ｂに雌ねじ部材５５を固定しているが、この構成を逆にすることもできる。即ち、上側のアーム連結部材５０ａに雄ねじ部材５１を固定し、下側のアーム連結部材５０ｂに雄ねじ部材５１を設けることもできる。
【００４８】
また、上記実施形態では、連結部４の一対のアーム連結部材５０ａ、５０ｂを上下に配設して、一対の屈曲アーム部４０ａ、４０ｂが上下に屈曲するようにしているが、アーム連結部材５０ａ、５０ｂを左右に配設して屈曲アーム部４０ａ、４０ｂが左右に屈曲するようにしてもよい。
【符号の説明】
【００４９】
１  竪樋用控え具
２  壁面固定部
３  竪樋支持部
４  連結部
４０ａ、４０ｂ  屈曲アーム部
４１ａ、４１ｂ  アーム部材
５  間隔調整部
５０ａ、５０ｂ  アーム連結部材
５１  雄ねじ部材
５２  調整用つまみ
５３  雄ねじ部
５４  雌ねじ部材
５５  雌ねじ部
７  外壁面
８  竪樋
【図１】
2017172157.tif 000003
【図２】
2017172157.tif 000004
【図３】
2017172157.tif 000005